(57)【特許請求の範囲】
【請求項１】
定期的通信により複数の空気調和装置に関する情報を取り込み、上記空気調和装置についての異常の検知又は予知を認識し、異常の検知又は予知を認識すると上記空気調和装置との定期的通信を停止する監視装置と、この異常検知又は予知時点から上記監視装置との通信を開始し、異常が検知又は予知された空気調和装置に関する情報を読み込んだ時点で上記通信を終了して、上記空気調和装置を遠隔監視する中央監視装置とを有し、上記監視装置は、上記中央監視装置との通信が切断された場合に、上記中央監視装置が、異常が検知又は予知された全ての空気調和装置に関する情報を読み込んだか否かを判定し、上記中央監視装置が異常が検知又は予知された全ての空気調和装置に関する情報を読み込んだと判定されるまで、上記監視装置は、上記中央監視装置との上記通信を再開させ、上記中央監視装置が異常が検知又は予知された全ての空気調和装置に関する情報を読み込んだと判定された場合に、上記監視装置と上記空気調和装置との定期的通信を再開するよう構成されたことを特徴とする空気調和装置の遠隔監視システム。
【発明の詳細な説明】
【０００１】
【発明の属する技術分野】
本発明は、吸収式冷温水機、ガスエンジンにて圧縮機を駆動させるガスヒートポンプ式空気調和装置、電動モータにて圧縮機を駆動させるパッケージ式空気調和装置等の空気調和装置を遠隔監視する空気調和装置の遠隔監視システムに関する。
【０００２】
【従来の技術】
吸収式冷温水機、ガスヒートポンプ式空気調和装置又はパッケージ式空気調和装置等の空気調和装置を、監視装置及び電話回線を用いて、中央監視装置が遠隔監視する空気調和装置の遠隔監視システムが、例えば実開平４−９８０４１号公報に記載されている。
【０００３】
この種の遠隔監視システムにおいては、監視装置が、複数の空気調和装置の運転状態に関する運転情報を取り込んで空気調和装置の異常を検知し、中央監視装置が監視装置から送信される上記運転情報及び異常情報を読み込んで、空気調和装置を遠隔監視している。
【０００４】
【発明が解決しようとする課題】
ところが、ほぼ同時に複数の空気調和装置において異常が検知され、監視装置が中央監視装置へその旨を送信したとき、この中央監視装置と監視装置との電話回線の不調や中央監視装置のオペレータミス等によって、中央監視装置は、異常が検知された全ての空気調和装置に関する情報（運転情報及び異常情報）を読み込まずに監視装置との回線を切断してしまうことがある。この場合には、異常が検知されたにもかかわらず、中央監視装置にその情報が読み込まれていない空気調和装置が存在することになり、中央監視装置は当該空気調和装置に異常が発生していないと認定してしまうことがある。
【０００５】
本発明の課題は、上述の事情を考慮してなされたものであり、異常が検知又は予知された全ての空気調和装置に関する情報を中央監視装置に、取りこぼしなく確実に把握させることができる空気調和装置の遠隔監視システムを提供することにある。
【０００６】
【課題を解決するための手段】
請求項１記載の発明は、定期的通信により複数の空気調和装置に関する情報を取り込み、上記空気調和装置についての異常の検知又は予知を認識し、異常の検知又は予知を認識すると上記空気調和装置との定期的通信を停止する監視装置と、この異常検知又は予知時点から上記監視装置との通信を開始し、異常が検知又は予知された空気調和装置に関する情報を読み込んだ時点で上記通信を終了して、上記空気調和装置を遠隔監視する中央監視装置とを有し、上記監視装置は、上記中央監視装置との通信が切断された場合に、上記中央監視装置が、異常が検知又は予知された全ての空気調和装置に関する情報を読み込んだか否かを判定し、上記中央監視装置が異常が検知又は予知された全ての空気調和装置に関する情報を読み込んだと判定されるまで、上記監視装置は、上記中央監視装置との上記通信を再開させ、上記中央監視装置が異常が検知又は予知された全ての空気調和装置に関する情報を読み込んだと判定された場合に、上記監視装置と上記空気調和装置との定期的通信を再開するよう構成されたことを特徴とするものである。
【０００７】
請求項１に記載の発明には、次の作用がある。
【０００８】
中央監視装置が、異常が検知又は予知された全ての空気調和装置に関する情報を読み込むまで、監視装置は、中央監視装置との通信を再開させるよう構成されたことから、略同時に複数の空気調和装置において異常が検知又は予知されたが、中央監視装置と監視装置との電話回線の不調や中央監視装置のオペレータミス等の不具合によって、異常が検知又は予知された全ての空気調和装置に関する情報が中央監視装置に読み込まれずに、監視装置と中央監視装置との通信が終了してしまっても、監視装置が上記通信を再開することにより、異常が検知又は予知された全ての空気調和装置に関する情報を中央監視装置に、取りこぼしなく確実に把握させることができる。
【０００９】
【発明の実施の形態】
以下、本発明の実施の形態を図面に基づいて説明する。
【００１０】
図１は、本発明に係る空気調和装置の遠隔監視システムにおける第一の実施の形態を示す系統図である。
【００１１】
この図１に示す遠隔監視システム１０は、複数の空気調和装置１１Ａ、１１Ｂ、１１Ｃ…を１本の電話回線１２と１台の監視装置１３とを用いて中央監視装置１４により遠隔監視するものである。ここで、一般に、監視装置１３は空気調和装置１１Ａ、１１Ｂ、１１Ｃ…側に設置され、また、中央監視装置１４は空気調和装置１１Ａ、１１Ｂ、１１Ｃ…に対し遠隔位置に設置される。
【００１２】
上記空気調和装置１１Ａ、１１Ｂ、１１Ｃ…は吸収式冷温水機、ガスヒートポンプ式空気調和装置、パッケージ式空気調和装置等の空気調和装置のうち、同種又は異種の空気調和装置である。
【００１３】
上記監視装置１３は、電話回線１２を直接、又はモデム１５およびモデム２０（後述）を介して接続するための電話回線接続口１６と、複数の空気調和装置１１Ａ、１１Ｂ、１１Ｃ…接続用の通信回線１７を接続するための機器用接続口１８とを備え、運転状態監視機能、異常検知予知認識機能、記憶機能、呼出機能、送信機能及び読込完了判定機能を有する。
【００１４】
上記運転状態監視機能は、監視装置１３の機器用接続口１８に通信回線１７を介して接続された空気調和装置１１Ａ、１１Ｂ、１１Ｃ…の運転状態を監視するものである。
【００１５】
また、上記異常検知予知認識機能は空気調和装置１１Ａ、１１Ｂ、１１Ｃ…が吸収式冷温水機の如く、自らの運転状態から異常を検知又は予知する機能を有する場合には、その異常の検知又は予知を発見して認識し、空気調和装置１１Ａ、１１Ｂ、１１Ｃ…がガスヒートポンプ式空気調和装置やパッケージ式空気調和装置の如く、自らの運転状態から異常を検知し又は予知しない場合には、上記運転状態から異常を検知し又は予知して認識するものである。
【００１６】
上記記憶機能は、運転状態監視機能により監視された空気調和装置１１Ａ、１１Ｂ、１１Ｃの運転状態に関する運転情報と、異常検知予知認識機能により認識された空気調和装置１１Ａ、１１Ｂ、１１Ｃについての異常検知又は予知状況に関する異常情報を内蔵のメモリに、順次更新しながら取り込んで記憶するものである。
【００１７】
上記呼出機能は、空気調和装置１１Ａ、１１Ｂ、１１Ｃ…についての異常の検知又は予知を認識した時、モデム１５を介し電話回線１２を経て中央監視装置１４のホストコンピュータ１９へ呼出信号を送信するものである。このとき、ホストコンピュータ１９からの要求に応じて、監視装置１３内に記憶した空気調和装置１１Ａ、１１Ｂ、１１Ｃ…についての運転情報及び異常情報を中央監視装置１４のホストコンピュータ１９へ送信する機能が上記送信機能である。
【００１８】
上記読込完了判定機能は、中央監視装置１４が、異常が検知又は予知された全ての空気調和装置１１Ａ、１１Ｂ、１１Ｃ…に関する異常情報及び運転情報を、監視装置１３における内蔵メモリから読み込んだか否かを判定するものである。
【００１９】
一方、前記中央監視装置１４はホストコンピュータ１９を備え、このホストコンピュータ１９はモデム２０を介して電話回線１２に接続される。ホストコンピュータ１９は、電話回線１２を経て監視装置１３からの呼出信号を受信してから監視装置１３との通信を開始し、監視装置１３の内蔵メモリに記憶された異常情報を読み込んで、空気調和装置１１Ａ、１１Ｂ、１１Ｃ…のいずれにおいて異常が検知又は予知されたかを認識する。更に、ホストコンピュータ１９は、監視装置１３内に記憶された運転情報から、異常が検知又は予知された空気調和装置の運転情報を読み込み、この時点で監視装置１３との通信を終了する。
【００２０】
ところで、上記監視装置１３は、呼出信号を中央監視装置１４へ送信した時点で、上述の運転状態監視機能、異常検知予知認識機能及び記憶機能を停止し、異常検知又は予知時点以降の運転情報及び異常情報の取り込みを停止する。
【００２１】
また、監視装置１３は、中央監視装置１４が、異常が検知または予知された全ての空気調和装置１１Ａ、１１Ｂ、１１Ｃ…に関する情報（異常情報及び運転情報）を読み込んだことを読込完了判定機能により判定するまで、監視装置１３と中央監視装置１４との通信が切断されていても、中央監視装置１４へ呼出信号を送信して、中央監視装置１４との通信を再開させる。
【００２２】
次に、監視装置１３の作用を、図２を用いて説明する。
【００２３】
監視装置１３は、通信回線１７により接続された各空気調和装置１１Ａ、１１Ｂ、１１Ｃ…と定期的に通信し、各空気調和装置１１Ａ、１１Ｂ、１１Ｃ…に関する運転情報や異常情報を内蔵メモリに、順次更新しながら取り込んで記憶する（Ｓ１〜Ｓ３）。
【００２４】
監視装置１３は、運転情報及び異常情報の取り込みを、全ての空気調和装置１１Ａ、１１Ｂ、１１Ｃ…について実施したか否かを判定する（Ｓ４）。
【００２５】
監視装置１３は、上述の空気調和装置１１Ａ、１１Ｂ、１１Ｃ…との定期的通信において、異常の検知又は予知を判定する（Ｓ５）。
【００２６】
監視装置１３は、異常の検知又は予知を認識すると、中央監視装置１４のホストコンピュータ１９へ呼出信号を送信し、同時に空気調和装置１１Ａ、１１Ｂ、１１Ｃ…との定期的通信を停止して、空気調和装置１１Ａ、１１Ｂ、１１Ｃ…に関する運転情報及び異常情報を内蔵のメモリに記憶することを停止する（Ｓ６）。
【００２７】
中央監視装置１４のホストコンピュータ１９は、監視装置１３からの呼出信号の受信により監視装置１３との通信を開始し、内蔵のメモリに記憶された異常情報から、どの空気調和装置１１Ａ、１１Ｂ、１１Ｃ…において異常が検知又は予知されたかを認識し、その異常が検知又は予知された全ての空気調和装置１１Ａ、１１Ｂ、１１Ｃ…の運転情報を監視装置１３の内蔵メモリから読み込む（Ｓ７）。
【００２８】
監視装置１３は、中央監視装置１４との通信が終了して、中央監視装置１４との回線が切断されているか否かを判定する（Ｓ８）。
【００２９】
監視装置１３は、異常が検知又は予知された全ての空気調和装置１１Ａ、１１Ｂ、１１Ｃ…について、それらの空気調和装置１１Ａ、１１Ｂ、１１Ｃの運転情報及び異常情報を中央監視装置１４のホストコンピュータ１９が読み取ったか否かを調べ（Ｓ９）、中央監視装置１４が読み込まない場合には、中央監視装置１４のホストコンピュータ１９へ再度呼出信号を送信して中央監視装置１４との通信を再開させ、中央監視装置１４が読み込んだ場合には、空気調和装置１１Ａ、１１Ｂ、１１Ｃ…との定期的な通信を再開する（Ｓ１０）。
【００３０】
上記実施の形態によれば、中央監視装置１４が、異常が検知又は予知された全ての空気調和装置１１Ａ、１１Ｂ、１１Ｃに関する異常情報及び運転情報を読み込むまで、監視装置１３は、電話回線１２を介した中央監視装置１４との通信を再開させるよう構成されたことから、ほぼ同時に複数の空気調和装置１１Ａ、１１Ｂ、１１Ｃ…において異常が検知又は予知されたが、中央監視装置１４と監視装置１３との電話回線１２の不調や中央監視装置１４のオペレータミス等の不具合によって、異常が検知又は予知された全ての空気調和装置１１Ａ、１１Ｂ、１１Ｃ…に関する異常情報および運転情報が中央監視装置１４に読み込まれずに、監視装置１３と中央監視装置１４との通信が終了してしまっても、中央監視装置１４が上記通信を再開することにより、異常が検知または予知された全ての空気調和装置１１Ａ、１１Ｂ、１１Ｃ…に関する異常情報及び運転情報を中央監視装置１４に、取りこぼしなく確実に把握させることができる。
【００３１】
以上、一実施の形態に基づいて本発明を説明したが、本発明はこれに限定されるものではない。
【００３２】
【発明の効果】
以上のように、本発明に係る空気調和装置の遠隔監視システムによれば、中央監視装置が、異常が検知または予知された全ての空気調和装置に関する情報を読み込むまで、監視装置は、中央監視装置との通信を再開させるよう構成されたので、異常が検知または予知された全ての空気調和装置に関する情報を中央監視装置に、取りこぼしなく確実に把握させることができる。
【図面の簡単な説明】
【図１】本発明に係る空気調和装置の遠隔監視システムにおける一実施の形態を示す系統図である。
【図２】図１の監視装置の作用を示すフローチャートである。
【符号の説明】
１０  遠隔監視システム
１１Ａ、１１Ｂ、１１Ｃ  空気調和装置
１３  監視装置
１４  中央監視装置
【図１】
0003789645.tif 000002
【図２】
0003789645.tif 000003